(57)【要約】【課題】レンズの保持固定力に優れ、運動時にも着用し得るパーツ交換の容易な眼鏡の提供。【解決手段】リムの内側端面にレンズ嵌合用溝が形設されていると共に、ブリッジの内面に、レンズの係止穴に着脱自在に嵌入するレンズ用突起及び鼻当て部材の係止穴に着脱自在に嵌入する鼻当て部材用突起が形設されているフレームと；ブリッジのレンズ用突起が着脱自在に嵌入する係止穴が形設されているレンズと；ブリッジの鼻当て部材用突起が着脱自在に嵌入する係止穴が形設されており、かつレンズの一部をブリッジとの間に挟持固定する鼻当て部材とを有することを特徴とする眼鏡。【選択図】図７
2012137703.tif 000002
【特許請求の範囲】
【請求項１】
リムの内側端面にレンズ嵌合用溝が形設されていると共に、ブリッジの内面に、レンズの係止穴に着脱自在に嵌入するレンズ用突起及び鼻当て部材の係止穴に着脱自在に嵌入する鼻当て部材用突起が形設されているフレームと；ブリッジのレンズ用突起が着脱自在に嵌入する係止穴が形設されているレンズと；ブリッジの鼻当て部材用突起が着脱自在に嵌入する係止穴が形設されており、かつレンズの一部をブリッジとの間に挟持固定する鼻当て部材とを有することを特徴とする眼鏡。
【請求項２】
前記レンズの外側端に突出部が形設されていると共に、前記リムのレンズ嵌合用溝に当該レンズの突出部が嵌入する深溝部が形設されていることを特徴とする請求項１記載の眼鏡。
【請求項３】
前記鼻当て部材の外面におけるレンズ挟持領域に肉薄部が形成されていることを特徴とする請求項１又は２記載の眼鏡。
【請求項４】
前記リム及びブリッジに内方突出庇が形設されていることを特徴とする請求項１〜３の何れか１項記載の眼鏡。
【請求項５】
リム及びブリッジの外面におけるレンズ挟持領域に肉薄部が形成されており、かつ当該肉薄部にレンズの係止穴に着脱自在に嵌入するレンズ用突起が形設されていると共に、当該肉薄部以外の肉厚部に上部枠部材の突起が着脱自在に嵌入する係止穴が形設されているフレームと；フレームのレンズ用突起が着脱自在に嵌入する係止穴が形設されているレンズと；内面にフレームの係止穴に着脱自在に嵌入するフレーム用突起が形設されており、かつレンズの一部をリム及びブリッジとの間に挟持固定する上部枠部材とを有することを特徴とする眼鏡。
【請求項６】
前記レンズの外側端に突出部が形設されていると共に、前記リム及びブリッジの肉厚部に当該レンズの突出部が嵌合する張出肉薄部が形成されていることを特徴とする請求項５記載の眼鏡。
【請求項７】
前記上部枠部材に内方突出庇が形設されていることを特徴とする請求項５又は６記載の眼鏡。
【発明の詳細な説明】
【技術分野】
【０００１】
本発明は眼鏡、特にレンズ等のパーツ交換を容易に行なうことができる眼鏡に関する。
【背景技術】
【０００２】
従来より、レンズなどのパーツ交換が可能なサングラスが既に提案されている。例えば、特許文献１ではフレーム本体に着脱可能に支持されるサングラスレンズが提案されている。また、特許文献２ではユーザーが自分の好みでメガネを組立て、そのレンズ部材の色彩や形態を変えて楽しむことができる組立て自在メガネが提案されている。
【０００３】
しかしながら、これら従来のメガネは、何れもフレームに形設された溝にレンズを単に嵌合せしめた構造に過ぎなかったため、着脱操作性には優れるものの、レンズの固定保持力に難がある結果、レンズがフレームから自然に脱落し易いと云う問題があり、激しい動きを伴なう運動時には着用し得ないのが実状であった。
【先行技術文献】
【特許文献】
【０００４】
【特許文献１】実開平６−８２６２４号公報
【特許文献２】特開平８−６２５４４号公報
【発明の概要】
【発明が解決しようとする課題】
【０００５】
本発明は、上記の如き従来の問題と実状に鑑みてなされたものであり、レンズの保持固定力に優れ、運動時にも着用し得るパーツ交換の容易な眼鏡を提供することを課題としている。
【課題を解決するための手段】
【０００６】
本発明者は、上記の課題を解決すべく、種々検討を重ねた結果、レンズとフレーム溝や肉薄部との嵌合に加え、フレームとの凹凸嵌合機能を有する挟持部材によりレンズを挟持せしめれば、着脱操作性が阻害されることなく、優れたレンズの保持固定力が得られることを見い出し、本発明を完成した。
【０００７】
すなわち、本発明は、リムの内側端面にレンズ嵌合用溝が形設されていると共に、ブリッジの内面に、レンズの係止穴に着脱自在に嵌入するレンズ用突起及び鼻当て部材の係止穴に着脱自在に嵌入する鼻当て部材用突起が形設されているフレームと；ブリッジのレンズ用突起が着脱自在に嵌入する係止穴が形設されているレンズと；ブリッジの鼻当て部材用突起が着脱自在に嵌入する係止穴が形設されており、かつレンズの一部をブリッジとの間に挟持固定する鼻当て部材とを有することを特徴とする眼鏡により、上記課題を解決したものである。
【０００８】
また、本発明は、リム及びブリッジの外面におけるレンズ挟持領域に肉薄部が形成されており、かつ当該肉薄部にレンズの係止穴に着脱自在に嵌入するレンズ用突起が形設されていると共に、当該肉薄部以外の肉厚部に上部枠部材の突起が着脱自在に嵌入する係止穴が形設されているフレームと；フレームのレンズ用突起が着脱自在に嵌入する係止穴が形設されているレンズと；内面にフレームの係止穴に着脱自在に嵌入するフレーム用突起が形設されており、かつレンズの一部をリム及びブリッジとの間に挟持固定する上部枠部材とを有することを特徴とする眼鏡により、上記課題を解決したものである。
【発明の効果】
【０００９】
本発明の眼鏡は、レンズがフレームの溝や肉薄部に嵌合されると共に、レンズの穴にフレームの突起が嵌入した状態で、挟持部材たる鼻当て部材や上部枠部材とフレームとの間にレンズが挟持固定されるので、レンズ等のパーツ交換がしやすく、かつレンズが確実に保持固定され、激しい運動時においても脱落するおそれがなく、特にスポーツ用グラスとして好適に使用できる。
【００１０】
しかも、フレームとレンズと挟持部材たる鼻当て部材や上部枠部材の固定は、何れも凹凸嵌合による連結方式であるため、各パーツの着脱操作性にも優れる結果、パーツ交換が容易であることから、例えばユーザーの好みによりレンズやフレームの色を変えたり、また、レンズをサングラスから度付きのものに変えたりと、様々なカスタマイズをすることができる。
【００１１】
また、フレームや上部枠部材に内方突出庇を形設して実施すれば、眼鏡装着時に顔面との間に形成される隙間がなくなるので、花粉の侵入を抑制でき、特に花粉症患者用に好適な眼鏡を提供することができる。
【図面の簡単な説明】
【００１２】
【図１】本発明の第１の実施の形態に用いるフレームの要部内方斜視図。
【図２】本発明の第１の実施の形態に用いるレンズの斜視図。
【図３】本発明の第１の実施の形態に用いる鼻当て部材の内面図。
【図４】本発明の第１の実施の形態に用いる鼻当て部材の外面図。
【図５】図４のＡ−Ａ線切断拡大端面図。
【図６】本発明の第１の実施の形態においてフレームにレンズを仮止め装着した状態を示す要部内方斜視図。
【図７】本発明の第１の実施の形態に係る眼鏡の要部内方斜視図。
【図８】図７のＢ−Ｂ線切断拡大端面図。
【図９】図７のＣ−Ｃ線切断拡大端面図。
【図１０】本発明の第２の実施の形態に用いるフレームの要部外方斜視図。
【図１１】本発明の第２の実施の形態に用いるレンズの斜視図。
【図１２】本発明の第２の実施の形態に用いる上部枠部材の内方斜視図。
【図１３】本発明の第２の実施の形態に用いる上部枠部材の外方斜視図。
【図１４】本発明の第２の実施の形態においてフレームにレンズを仮止め装着した状態を示す要部外方斜視図。
【図１５】本発明の第２の実施の形態に係る眼鏡の要部外方斜視図。
【図１６】図１５のＤ−Ｄ線切断拡大端面図。
【発明を実施するための形態】
【００１３】
以下、本発明の実施の形態を図面と共に説明する。
【００１４】
◎第１の実施の形態
図１〜図９は、本発明眼鏡の第１の実施の形態を示すものである。
当該図１において、１０はフレームで、当該フレーム１０を構成するリム１０ａの内側端面には、図８に示されているようにレンズ嵌合用溝１１が形設されていると共に、同じく当該フレーム１０を構成するブリッジ１０ｂは後述の鼻当て部材３０に対応した大きさと形状を有し、その内面（装着時において顔面側）には、後述のレンズ２０の係止穴２１に着脱自在に嵌入する２本のレンズ用突起１２と、後述の鼻当て部材３０の係止穴３１に着脱自在に嵌入する２本の鼻当て部材用突起１３が形設されている。因に、レンズ用突起１２の長さはレンズ２０の厚さに対応し、鼻当て部材用突起１３の長さは鼻当て部材３０の肉厚部３３の厚さに対応したものとなっている。
また、当該リム１０ａのレンズ嵌合用溝１１の一部には、図９に示されているように後述のレンズ突出部２２が嵌入する深溝部１１ａが形設されている。
更に、当該リム１０ａ及びブリッジ１０ｂの上部には、図８及び９に示されているように、内方突出庇１０ｃが形設され、花粉が侵入しないようになっている。
【００１５】
また、図２において、２０はレンズで、そのブリッジ１０ｂ側のレンズ上縁部には、ブリッジ１０ｂのレンズ用突起１２が着脱自在に嵌入する係止穴２１が１個形設されている。
また、当該係止穴２１の外側部及びその反対側のレンズ上縁部には、リム１０ａの深溝部１１ａと鼻当て部材３０の張出肉薄部３２ａに嵌入係止してレンズ２０のズレ動きを防止する突出部２２が形設されている。
【００１６】
また、図３〜図５において、３０は鼻当て部材で、ブリッジ１０ｂとの間にレンズ２０の一部を挟持固定するものである。この鼻当て部材３０にはブリッジの鼻当て部材用突起１３が着脱自在に嵌入する２個の係止穴３１が形設されていると共に、その外面（装着時においてレンズ側）におけるレンズ挟持領域に、レンズ２０のブリッジ側外縁形状に対応せしめた形状で肉薄部３２及び張出肉薄部３２ａが形成されている。この肉薄の度合は、肉厚部３３との差がレンズ２０の厚さ相当分となるようにするのが好ましい。斯かる肉薄部３２の存在によりレンズ２０のズレ動きが防止され、より確実にレンズ２０をブリッジ１０ｂと鼻当て部材間に挟持固定することができる。
【００１７】
上記フレーム１０及び鼻当て部材３０の材質は、その種類の如何を問わないが、特に超弾性樹脂とするのが着脱操作性及び嵌合固定力に優れ、望ましい。因に、斯かる超弾性樹脂としては、例えば「グリルアミド（登録商標）ＴＲ９０」（スイス  ＥＭＳ  Ｃｈｅｍｉｅ  ＡＧ製）が好適に用いられる。
【００１８】
次に、上記の各パーツによる本発明眼鏡の組立て方法について説明する。
まず、リム１０ａのレンズ嵌合用溝１１にレンズ２０の周端縁を嵌入すると共に、ブリッジ１０ｂのレンズ用突起１２をレンズ２０の係止穴２１に嵌入すれば、図６に示すようにレンズ２０がフレーム１０に仮止めされた状態となる。
次いで、ブリッジ１０ｂの鼻当て部材用突起１３に鼻当て部材３０の係止穴３１を嵌入せしめれば、図７に示すようにレンズ２０がフレーム１０と鼻当て部材３０との間に挟持固定された、本発明眼鏡が得られる。
【００１９】
◎第２の実施の形態
図１０〜図１６は、本発明の第２の実施の形態を示すものである。
当該図１０において、５０はフレームで、当該フレーム５０を構成するリム５０ａ及びブリッジ５０ｂの外面（装着時において顔面の相対側）におけるレンズ挟持領域に、後述のレンズ６０の外縁形状に対応せしめた形状で肉薄部５１が形成されていると共に、前記リム５０ａ及びブリッジ５０ｂの肉厚部５２に、後述するレンズの突出部６２が着脱自在に嵌合する張出肉薄部５１ａが形成されている。この肉薄の度合は、図１６に示されているように、肉厚部５２との差がレンズ６０の厚さ相当分とし、レンズ６０のズレ動きを防止する上で好ましい。
【００２０】
当該肉薄部５１には、後述するレンズ６０の係止穴６２に着脱自在に嵌入する４本のレンズ用突起５３が形設されていると共に、当該肉薄部５１以外の肉厚部５２には、後述する上部枠部材７０のフレーム用突起７１が着脱自在に嵌入する係止穴５４が、リム５０ａの両側部に各１個、ブリッジ５０ｂの中央に１個形設されている。
【００２１】
また、図１１において、６０はレンズで、その両側部には、フレーム５０の突起５３が着脱自在に嵌入する係止穴６１が各１個形設されていると共に、当該係止穴６１の外側部にはフレーム５０の張出肉薄部５１ａと嵌合係止してレンズ６０のズレ動きを防止する突出部６２が形設されている。
【００２２】
また、図１２〜図１３において、７０は上部枠部材で、フレーム５０との間にレンズ６０の一部を挟持固定するものである。この上部枠部材７０の内面（装着時においてレンズ側）には、フレーム５０の係止穴５４に着脱自在に嵌入するフレーム用突起７１が３本形設されていると共に、当該内面におけるレンズ挟持領域に、レンズ６０の外縁形状に対応せしめた形状でレンズ当接部７２及びレンズ突出部当接部７２ａが形成されている。
また、当該上部枠部材７０の上部には、図１２及び１６に示されているように、内方突出庇７０ａが形設され、花粉が侵入しないようになっている。
【００２３】
尚、上記フレーム５０及び上部枠部材７０の材質は、第１の実施の形態と同様、超弾性樹脂とするのが望ましい。
【００２４】
次に、上記の各パーツによる本発明眼鏡の組立て方法について説明する。
まず、フレーム５０のレンズ用突起５３にレンズ６０の係止穴６１を嵌入しつつ、レンズ６０の周端縁をフレーム５０の肉薄部５１に装着すれば、図１４に示すようにレンズ６０がフレーム５０に仮止めされた状態となる。
次いで、上部枠部材７０のフレーム用突起７１をフレーム５０の係止穴５４に嵌入せしめれば、図１５に示すようにレンズ６０がフレーム５０と上部枠部材７０との間に挟持固定された、本発明眼鏡が得られる。
【符号の説明】
【００２５】
１０：フレーム
１０ａ：リム
１０ｂ：ブリッジ
１０ｃ：内方突出庇
１１：レンズ嵌合用溝
１１ａ：深溝部
１２：レンズ用突起
１３：鼻当て部材用突起
２０：レンズ
２１：係止穴
２２：突出部
３０：鼻当て部材
３１：係止穴
３２：肉薄部
３２ａ：張出肉薄部
３３：肉厚部
５０：フレーム
５０ａ：リム
５０ｂ：ブリッジ
５１：肉薄部
５１ａ：張出肉薄部
５２：肉厚部
５３：レンズ用突起
５４：係止穴
６０：レンズ
６１：係止穴
６２：突出部
７０：上部枠部材
７０ａ：内方突出庇
７１：フレーム用突起
７２：レンズ当接部
７２ａ：レンズ突出部当接部
【図１】
2012137703.tif 000003
【図２】
2012137703.tif 000004
【図３】
2012137703.tif 000005
【図４】
2012137703.tif 000006
【図５】
2012137703.tif 000007
【図６】
2012137703.tif 000008
【図７】
2012137703.tif 000009
【図８】
2012137703.tif 000010
【図９】
2012137703.tif 000011
【図１０】
2012137703.tif 000012
【図１１】
2012137703.tif 000013
【図１２】
2012137703.tif 000014
【図１３】
2012137703.tif 000015
【図１４】
2012137703.tif 000016
【図１５】
2012137703.tif 000017
【図１６】
2012137703.tif 000018